(57)【要約】【課題】スピーカに対する操作者の移動に応じてスピーカからの音量を変化させることができる電子機器。【解決手段】音声を発するスピーカと、前記スピーカに対する操作者の移動を検知する移動検知手段と、前記移動検知手段により、前記操作者が前記スピーカに近づいたことが検知されたときは前記スピーカから発する音量を増大させ、前記操作者が前記スピーカより遠ざかったことが検知されたときは前記スピーカから発する音量を減少させる音量変更手段と、を備えたこと。【選択図】図１
2009147783.tif 000002
【特許請求の範囲】
【請求項１】
音声を発するスピーカと、
前記スピーカに対する操作者の移動を検知する移動検知手段と、
前記移動検知手段により、前記操作者が前記スピーカに近づいたことが検知されたときは前記スピーカから発する音量を増大させ、前記操作者が前記スピーカより遠ざかったことが検知されたときは前記スピーカから発する音量を減少させる音量変更手段と、
を備えたことを特徴とする電子機器。
【請求項２】
前記移動検知手段が前記操作者の移動を所定の時間毎に検知するための計時手段を備えたことを特徴とする請求項１に記載の電子機器。
【請求項３】
周囲の環境音を検知する環境音検知手段を備え、
前記スピーカに対して前記操作者が所定の距離に位置しているときに前記スピーカから発する音量を基準音量とし、前記音量変更手段は前記環境音検知手段が検知した環境音に応じて該基準音量を変更することを特徴とする請求項１又は２に記載の電子機器。
【請求項４】
前記電子機器はインターフォン装置であって、住居外部に設置される子機と住居内部に設置される親機とからなり、前記スピーカと前記移動検知手段は前記子機に装着されていることを特徴とする請求項１〜３の何れか１項に記載の電子機器。
【請求項５】
前記音量変更手段は前記親機に装着されていることを特徴とする請求項４に記載の電子機器。
【請求項６】
前記電子機器は携帯端末であることを特徴とする請求項１〜３の何れか１項に記載の電子機器。
【発明の詳細な説明】
【技術分野】
【０００１】
本発明は、スピーカから発する音量がスピーカに対する操作者の移動によって変化する電子機器に関する。
【背景技術】
【０００２】
住宅用のインターフォン装置は、玄関外部や門柱に設置される子機と、室内に設置される親機とから構成され、それぞれにマイクとスピーカとが設けられているので、住宅内の居住者と来客者は玄関を開けずに会話ができる。また、来客者は居住者の声を子機のスピーカから聞くことになる。
【０００３】
この場合に、来客者にとって聞き易くするため、スピーカと来客者の距離を赤外線を用いて検出し、スピーカからの音量を距離が遠ければ大きくし距離が近ければ小さくするように調節する技術が知れられている（特許文献１参照）。
【特許文献１】特開２００３−１８８９９９号公報
【発明の開示】
【発明が解決しようとする課題】
【０００４】
インターフォン装置において、特許文献１の如くスピーカと来客者の距離に応じてスピーカからの音量を変化させることは一見有意義の様に思える。しかし、来客者は腕を伸ばして子機の呼出釦を押し、その場で居住者の応答を待つのが普通である。従って、スピーカと来客者の距離は最大でも１ｍ程度であって、来客者が２ｍも３ｍも離れた所でスピーカからの居住者の声を聞くことはない。従って、距離に応じて音量を変化させることは実用的にはあまり有意義でない。特に、周囲が静かな住宅においては、来客者が仮に３ｍも離れていても、居住者の声を充分に聞き取ることが可能であり、音量を変化させる必要はない。
【０００５】
しかしながら、車等の騒音で周囲がうるさい環境下にある住宅においては、１ｍの距離でも聞き取り難い場合がある。特に、耳が遠い高齢者にとっては、このようなことが生じ易い。このような場合には、無意識に子機の方に近づくことになる。即ち、聞き取りやすい位置に体を移動させるのは、人の習性である。また、スピーカの音量が大きめにセットされている場合や、居住者が大声の場合は、来客者はうるさく感じ、遠ざかることもある。
【０００６】
本発明はかかる問題に鑑みてなされたものであり、スピーカに対する操作者（来客者）の移動に応じてスピーカからの音量を変化させることができるインターフォン装置の如き電子機器を提案することを目的とする。また、携帯端末においても同様の構成にすることができる。
【課題を解決するための手段】
【０００７】
前記目的は、下記に記載した発明により達成される。
１．音声を発するスピーカと、
前記スピーカに対する操作者の移動を検知する移動検知手段と、
前記移動検知手段により、前記操作者が前記スピーカに近づいたことが検知されたときは前記スピーカから発する音量を増大させ、前記操作者が前記スピーカより遠ざかったことが検知されたときは前記スピーカから発する音量を減少させる音量変更手段と、
を備えたことを特徴とする電子機器。
２．前記移動検知手段が前記操作者の移動を所定の時間毎に検知するための計時手段を備えたことを特徴とする１に記載の電子機器。
３．周囲の環境音を検知する環境音検知手段を備え、
前記スピーカに対して前記操作者が所定の距離に位置しているときに前記スピーカから発する音量を基準音量とし、前記音量変更手段は前記環境音検知手段が検知した環境音に応じて該基準音量を変更することを特徴とする１又は２に記載の電子機器。
４．前記電子機器はインターフォン装置であって、住居外部に設置される子機と住居内部に設置される親機とからなり、前記スピーカと前記移動検知手段は前記子機に装着されていることを特徴とする１〜３の何れか１項に記載の電子機器。
５．前記音量変更手段は前記親機に装着されていることを特徴とする４に記載の電子機器。
６．前記電子機器は携帯端末であることを特徴とする１〜３の何れか１項に記載の電子機器。
【発明の効果】
【０００８】
本発明の電子機器によれば、スピーカに対する操作者の移動に応じてスピーカからの音量を変化させることができるので、人の習性に従って音量を自然に調節して聞き取り易くなるという効果を奏する。
【発明を実施するための最良の形態】
【０００９】
本発明の電子機器に関する実施の形態を図を参照して説明する。なお、本発明を用いる電子機器の代表例としてインターフォン装置について説明する。
【００１０】
また、インターフォン装置そのものは周知慣用の装置であるので、一般的な技術説明は省略する。
【００１１】
先ず、図１に示す本発明を達成する各回路を有するインターフォン装置のブロック図を説明する。
【００１２】
インターフォン装置は、玄関外部や門柱に設置される子機１と、室内に設置される親機２とから構成される。
【００１３】
子機１は、呼出釦１１、マイク１２、スピーカ１３、カメラ１４及び子機インターフェイス１５を有する。
【００１４】
呼出釦１１は来客者が住宅内の居住者を呼び出すために操作する釦である。
【００１５】
マイク１２は来客者の声を入力し、スピーカ１３は居住者の声を出力する。
【００１６】
カメラ１４は後述する如く来客者を撮像する。
【００１７】
子機インターフェイス１５は各信号を親機２と送受信する。
【００１８】
一方、親機２は、応答釦２１、マイク２２、スピーカ２３、モニタ２４、親機インターフェイス２５、ＣＰＵ２６及びメモリ２７を有する。
【００１９】
応答釦２１は、来客者の呼び出しに応じて操作することにより、カメラ１４で撮像した来客者の顔をモニタ２４に表示する。
【００２０】
マイク２２は居住者の声を入力し、スピーカ２３は来客者の声を出力する。
【００２１】
モニタ２４は例えば液晶画面からなり、来客者の顔を表示する。
【００２２】
親機インターフェイス２５は各信号を子機１と送受信する。
【００２３】
ＣＰＵ２６は子機から入力された信号を入力すると共に、応答釦２１、マイク２２、スピーカ２３、モニタ２４に対して信号を入出力し、親機インターフェイス２５を介して子機に信号を出力するよう制御する。また、ＣＰＵ２６は環境音検知回路２６１（環境音検知手段）、音量変更回路２６２（音量変更手段）、移動検知回路２６３（移動検知手段）及び計時回路２６４（計時手段）を有する。
【００２４】
メモリ２７はカメラ１４で撮像した画像を記憶する。
【００２５】
次に、以上の構成のインターフォン装置の作用を説明する。
【００２６】
先ず、訪れた来客者が玄関外部や門柱に設置された子機１の呼出釦１１を押す。
【００２７】
すると、親機のスピーカ２３から呼び出し音が発生し、住宅内の居住者に知らせる。居住者が応答釦２１を押すと、カメラ１４がパワーオンになって来客者を撮像する。来客者を撮像した画像はモニタ２４に表示される。従って、居住者は来客者を確認することができる。また、同時に居住者と来客者との通話が可能になるので、居住者はモニタ２４を見ながら来客者と会話を行う。
【００２８】
そして、会話が終了して居住者が再度応答釦２１を押すと、カメラ１４がパワーオフして撮像が終了し、居住者と来客者との通話も絶たれる。
【００２９】
ここで、一般の住宅の周囲の環境音は４０ｄＢ程度と言われている。この様な環境下では居住者と来客者との会話に支障が生じない。従って、周囲の環境音が４０ｄＢ未満のときは、ＣＰＵ２６の環境音検知回路２６１がマイク１２を介して検知した音量に基づいて、音量変更回路２６２は居住者の声が例えば４５ｄＢの音量でスピーカ１３から発するように設定する。
【００３０】
しかし、周囲の環境音が４０ｄＢ以上であって、うるさい環境下の住宅においては、４５ｄＢの音量では来客者は居住者の声を充分に聞き取れないことがある。このような場合は、人の習性として無意識に子機１の方、即ちスピーカ１３の方に近づき、聞き取りやすい位置に体を移動させることになる。そこで、来客者（操作者）がスピーカ１３の方に近づいたときは、ＣＰＵ２６の移動検知回路２６３がこれを検知し、音量変更回路２６２はスピーカ１３から発する音量をより増大させる。これによって、来客者は居住者の声を確実に聞き取ることができるようになる。また、来客者がスピーカ１３に接近し過ぎたり、居住者が大声だったりして、スピーカ１３から発する音量が必要以上に大きい場合は、来客者が後退するので、移動検知回路２６３はこれを検知し、音量変更回路２６２はスピーカ１３から発する音量を減少させる。
【００３１】
ここで、来客者がスピーカ１３に対して移動したことを検知するためには、所定時間毎に来客者の移動を検知する必要があるが、移動検知手段としては種々の手段を用いることができる。
【００３２】
この１例を図２に基づいて説明する。
【００３３】
図２はカメラ１４で撮像した図であり、図２（Ａ）は来客者が訪れる前に撮像した図、図２（Ｂ）は来客者が所定の距離にいるときの図、図２（Ｃ）はスピーカ１３の方に近寄ったときの図である。
【００３４】
先に、応答釦２１を押すと、カメラ１４がパワーオンになって来客者を撮像すると説明したが、これは居住者が再度応答釦２１を押すまで撮像を続けるという意味である。しかし、ＣＰＵ２６は計時回路２６４を有し、来客者が訪れないときも、ＣＰＵ２６は例えば１０分毎に数秒の間のみカメラ１４をパワーオンにし、撮像を行う。そして、この画像をメモリ２７に記憶する。この画像が図２（Ａ）に相当する。
【００３５】
次に、来客者の呼び出しに応じて居住者が応答釦２１を押すと、カメラ１４がパワーオンになって来客者を撮像する。これが、図２（Ｂ）に相当する。続いて、ＣＰＵ２６は計時回路２６４に基づいてカメラ１４は被写体の移動を検知するための撮像を、例えば１秒間隔で続ける。
【００３６】
そして、図２（Ｃ）の如く来客者がスピーカ１３、即ちカメラ１４の方に近寄ったならば、来客者の画像が拡大するので、これを移動検知回路２６３が検知し、音量変更回路２６２によりスピーカ１３から発する音量を増大させる。
【００３７】
このためには、移動検知回路２６３はメモリ２７から記憶されている図２（Ａ）の画像を呼び出し、図２（Ｂ）から図２（Ａ）と同一の画像のみを取り除く。これにより、図２（Ｂ）における来客者の画像サイズを検出することができる。同様にして、移動検知回路２６３は図２（Ｃ）においても来客者の画像サイズを検出することができる。従って、移動検知回路２６３は図２（Ｂ）の画像サイズと図２（Ｃ）の画像サイズとを比較し、図２（Ｃ）の方が大きいことを検出したならば、来客者が近寄ってきたと判断することができる。
【００３８】
また、来客者が遠ざかった場合も移動検知回路２６３は同様に検知することができる。
【００３９】
更に、成人の頭の幅は男女・伸長を含めて１５．３〜１６．３ｃｍという調査結果が公開されているサイト（Ｍａｌｅ  ａｎｄ  Ｆｅｍａｌｅ  Ｂｏｄｙ  Ｓｉｚｅｓ）がある。この情報を元に前述の画像サイズの変化量を換算すれば、来客者の大凡の移動量を推定することができる。
【００４０】
なお、以上の前提条件として、スピーカ１３の先端部とカメラ１４におけるＣＣＤ等の撮像素子の位置を同じ位置に設定しておく。
【００４１】
また、成人の腕の長さは男女・伸長を含めて６１．１〜７６．８ｃｍという調査結果（同上）がある。これによれば、来客者が腕を伸ばして子機１の呼出釦１１を押すときの、スピーカ１３と来客者の距離は５０〜７５ｃｍと想定できる。そこで、来客者の距離が例えば６０ｃｍの場合に基準距離とする。
【００４２】
また、周囲の環境音が４０ｄＢ以上、７０ｄＢ未満であると環境音検知回路２６１が検知した場合は、音量変更手段２６２は基準距離において居住者の声が例えば６０ｄＢの音量でスピーカ１３から発するように設定し、これを基準音量とする。そして、音量変更手段２６２は、来客者がスピーカ１３の方に２５ｃｍ以上接近したときは基準音量を５ｄＢ増大させ、５０ｃｍ以上接近したときは基準音量を１０ｄＢ増大させる。また、音量変更手段２６２は、来客者がスピーカ１３より２５ｃｍ以上遠ざかったときは基準音量を５ｄＢ減少させる。
【００４３】
また、周囲の環境音が７０ｄＢ以上であると環境音検知回路２６１が検知したときは、音量変更手段２６２は基準距離において居住者の声が例えば７５ｄＢの基準音量でスピーカ１３から発するように設定する。そして、音量変更手段２６２は、来客者がスピーカ１３の方に２５ｃｍ以上接近したときは基準音量を５ｄＢ増大させ、５０ｃｍ以上接近したときは基準音量を１０ｄＢ増大させる。また、音量変更手段２６２は、来客者がスピーカ１３より２５ｃｍ以上遠ざかったときは基準音量を５ｄＢ減少させる。
【００４４】
このように、住宅周囲の環境音に対応してスピーカ１３からの基準音量を設定し、来客者がスピーカ１３の方に接近したときは基準音量を増大させることにより、来客者は居住者の声を確実に聞き取ることができるようになる。
【００４５】
以上の構成における距離と音量とを表１にまとめる。
【００４６】
【表１】
2009147783.tif 000003
【００４７】
なお、表１における数値は１例であって、これに限定されるものではない。
【００４８】
また、移動検知回路２６４による来客者の移動を検知する方式としては、図２に基づいて説明した方式に限定されるものではなく、他の周知の測距方式を用いてもよい。
【００４９】
例えば、デジタルカメラで用いられているコントラスト検出方式や位相差検出方式、フィルム式コンパクトカメラで用いられていたパッシブ外光方式でもよい。また、来客者に赤外線や超音波を照射し、その反射波が戻るまでの時間や反射角度により距離を検出するアクティブ方式でもよい。これらの測距方式で来客者の距離を測定し、来客者の移動量を算出すればよい。
【００５０】
また、インターフォン装置としては、カメラ１４とモニタ２４を省き、音声のみの通話をする形態であってもよい。この場合は、所定の測距装置のみを用いることになる。
【００５１】
更に、本発明はインターフォン装置に限定されるものではなく、携帯電話機やＰＤＡ（Ｐｅｒｓｏｎａｌ  Ｄｉｇｉｔａｌ  Ａｓｓｉｓｔａｎｔ）等の携帯端末に上述の子機と親機の機能を搭載させてもよい。
【図面の簡単な説明】
【００５２】
【図１】インターフォン装置のブロック図である。
【図２】子機のカメラで撮像した映像を示す図である。
【符号の説明】
【００５３】
１  子機
１１  呼出釦
１２，２２  マイク
１３，２３  スピーカ
１４  カメラ
２  親機
２１  応答釦
２４  モニタ
２６  ＣＰＵ
２６１  環境音検知回路
２６２  音量変更回路
２６３  移動検知回路
３６４  計時回路
２７  メモリ
【図１】
2009147783.tif 000004
【図２】
2009147783.tif 000005